(57)【要約】      （修正有）【課題】ワイパーアームを上げ下げしワイパーブレードの長期使用とウインドガラスの損傷を防止することを備えたワイパーアーム昇降装置を提供する。【解決手段】小型直流モーターを正回転させた時は、プッシュロッド５がせり出してワイパーブレード９がウインドガラス１０面から離れる位置までワイパーアーム６を持ち上げ、モーター２を逆回転させた時はプッシュロッド５が引っ込んでワイパーブレード９がウインドガラス１０面に接する位置までワイパーアームを降下させる構造を備えた。また、自動車のエンジンスタートキーをＯＦＦにした時は、前記プッシュロッド５がせり出してワイパーブレード９がウインドガラス１０面から離れる位置までワイパーアーム６を持ち上げ、自動車のエンジンスタートキーをＯＮにした時は、前記プッシュロッド５が引っ込んでワイパーブレード９がウインドガラス１０面に接する位置までワイパーアームを降下させる。【選択図】図１
2008222193.tif 000002
【特許請求の範囲】
【請求項１】
小型直流モーターと小型直流モーターの回転によりせり出すプッシュロッドと、ワイパーアームに取り付けるための取り付けボスとを備えた自動車ワイパーアームの昇降装置であって、小型直流モーターを正回転させた時は、プシュロッドがせり出してワイパーブレードがガラス面から離れる位置までワイパーアームを持ち上げ、モーターを逆回転させた時はプッシュロッドが引っ込んでワイパーブレードがガラス面に接する位置までワイパーアームを降下させるように構成したことを特徴とするワイパーアーム昇降装置。
【請求項２】
自動車のエンジンスターターキーをＯＦＦにした時は、小型直流モーターを正回転しプッシュロッドがせり出してワイパーブレードがガラス面から離れる位置までワイパーアームを持ち上げ、自動車のエンジンスターターキーをＯＮにした時に小型直流モーターが逆回転しプッシュロッドが引っ込んでワイパーブレードがガラス面に接する位置までワイパーアームを降下させるように小型直流モーターを制御するモーターコントローラーを備えたことを特徴とする、請求項１記載のワイパーアーム昇降装置。
【発明の詳細な説明】
【技術分野】
【０００１】  本発明は、自動車のワイパーアームを小型直流モーターの駆動によって、プッシュロットを延ばしたり、引っ込めたりしてワイパーアームを上げ下げしワイパーブレードの長期使用とウインドガラスの損傷を防止する為のワイパーアーム昇降装置に関するものである。
【背景技術】
【０００２】  従来、自動車のワイパーは、常時リターンスプリングによって、ワイパーブレードをウインドガラスに圧着する様にワイパーアームを引っ張っている為、ワイパーブレードは常時ウインドガラスに圧着している。また、ワイパーアームスタンド取り付け車は、雨がやむといちいち、スタンドを手で立てなければならなかった。また、駆動軸ワイパーアームに円筒ウォーム付きモーターを装備したオートスタンドワイパーがあるが、駆動軸部分が複雑でむりな構造になっている。また、車両のワイパーが揺動して最低位置に至る所に、相互に対応するローラ装置と斜面と斜面装置を設けローラ装置と斜面装置の相対運動により、ワイパーが揺動し最低位置に来た時に或は揺動停止する時に、ワイパーのゴム条が自動的に持ち上げられてウインドガラスと分離状態を作る装置もあるが、これも複雑な構造である。
【特許文献１】特開平１０−３２９６５４
【特許文献２】実用新案登録３０９０６０９
【特許文献３】実開平０６−０２３８５１
【特許文献４】実開平０５−０９２０１４
【発明の開示】
【発明が解決しようとする課題】
【０００３】  そこで、本発明は、上述の課題を解決するために、ワイパーブレードが猛暑でウインドガラスに溶着するのを防ぎ、また、凍結によりワイパーブレードが凍りつきワイパーブレードの損傷を防ぎ、また、駐車でエンジン停止時砂塵等によりワイパーアームを手で持ち上げ、運転時には、ワイパーアームを下げ、また、ワイパースタンド取り付け車両では、いちいち手で持ち上げ立てることなく、また、ウインドガラスの表面にいろいろの部品を貼り付ける事無く、ワイパーブレードを長期使用でき、また、ウインドガラスを砂、塵から保護する為になされたことを課題とする。また、ワイパーアームの関接部に形状記憶合金の復元力を利用し太陽熱でワイパーをウインドガラスより離す装置もあるが、凍結によるワイパーブレードの損傷を防げない。
【課題を解決するための手段】
【０００４】  上述の課題を解決するために、本発明は、それらの欠点を除く為になさでたもので、請求項１の小型直流モーターと小型直流モーターの回転によりせり出すプッシュロッドと、ワイパーアームに取り付けるための取り付けボスとを備えた自動車のワイパーアームの昇降装置であって、小型直流モーターを正回転させた時は、プシュロッドがせり出してワイパーブレードがガラス面から離れる位置までワイパーアームを持ち上げ、小型直流モーターを逆回転させた時はプシュロッドが引っ込んでワイパーブレードがウインドガラスとガラス面に接する位置までワイパーアームを降下させるように構成したこと特徴とするワイパーアーム昇降装置。
また、請求項２の自動車のエンジンスタートキーをＯＦＦにした時は、小型直流モーターを正回転させプッシュロットはせり出してワイパーブレードがウインドガラス面から離れる位置までワイパーアームを持ち上げ自動車のエンジンスタートキーをＯＮにした時は小型直流モーターを逆回転させ、プシュロッドが引っ込んでワイパーブレードがウインドガラス面に接する位置までワイパーアームを降下させるように小型直流モーターを制御するコントローラーを備えたことを特徴とするワイパーアーム昇降装置。
【発明の効果】
【０００５】  本発明のワイパーアーム昇降装置を取り付ける事により、常時ウインドガラスに圧着しているワイパーブレードを無負荷の状態にして変形や猛暑によるウインドガラスの輻射熱でワイパーブレードが溶着する事を防ぎ、また、凍結によりワイパーブレードが凍りつき、損傷することを防ぐ、また、ワイパーブレードとウインドガラスとの接触面に溜まった砂塵での損傷を防止が出来て、水滴は綺麗に拭き取れ視野がハッキリとし安全運転が出来、尚、ワイパーブレードの長期使用可能な利点がある。
【発明を実施するための最良の形態】
【０００６】  以下、本発明の実施例の形態を代表的な実施例に基づいて図を用いて説明する。
【実施例１】
【０００７】  図１は、本発明のワイパーアーム昇降装置本体３に小型直流モーター２を組み込み、取り付けボス１を設け、ワイパーアーム６にワイパーブレード９に邪魔にならない位置に取り付けコの字型金具１１を当てて締め付けビス１２で取り付け、ウインドガラス１０との隙間を持たす為のプシュロッド５と隙間調整用ボルト７の先端にウインドガラスをキズつけない素材の当たり面４で構成されたものである。【０００８】  また、図２は、本発明の第２実施例２のワイパーアーム昇降装置本体３をワイパーアーム６に装着してある。【０００９】  また、図３は、本発明の第３実施例の図２のワイパーアーム昇降装置本体３の全体図である。【００１０】  また、図４は、本発明の第４実施例の図１の全体図である。【００１１】  また、図５は、本発明の第５実施例の断面図であって、小型直流モーター２とコントローラー１３とエンジンスタートキーの入出力端子機構である。
【図面の簡単な説明】
【００１２】
【００１３】
【図１】本発明をワイパーアームの斜視図である。
【図２】本発明のワイパーアームのワイパーブレードに邪魔にならない位置に取り付けた本体の斜視図である。
【図３】本発明の図２の全体図である
【図４】本発明の図１の前方からの全体図である
【図５】本発明のエンジンスタートキー、コントローラー、小型直流モーターの説明図である。
【符号の説明】
【００１４】１    取り付けボス
２    小型直流モーター
３    ワイパーアーム昇降装置本体
４    当たり面
５    プシュロッド
６    ワイパーアーム
７    隙間調整用ボルト
８    自動車ボデー
９    ワイパーブレード
１０  ウインドガラス
１１  コの字型金具
１２  締め付けビス
【図１】
2008222193.tif 000003
【図２】
2008222193.tif 000004
【図３】
2008222193.tif 000005
【図４】
2008222193.tif 000006
【図５】
2008222193.tif 000007